(57)【要約】【課題】開放動作した場合に速やかに閉止復旧することのできるブローアウト装置を提供する。【解決手段】建屋の開口部枠１に蝶番３と前記建屋の内部圧力が所定値以上になったときに破壊される固定装置４によって取り付けられた閉止パネル２と、この閉止パネル２に一端が取り付けられたワイヤ６と、前記建屋の内部圧力を測定する圧力計８と、この圧力計８の測定値を受けてワイヤ６の他端を巻き取るパネル復旧装置７とを備えている構成とする。【選択図】図１
2009121917.tif 000002
【特許請求の範囲】
【請求項１】
建屋の開口部に蝶番と前記建屋の内部圧力が所定値以上になったときに破壊される固定装置によって取り付けられた閉止パネルと、この閉止パネルに一端が取り付けられたワイヤと、前記建屋の内部圧力を測定する圧力計と、この圧力計の測定値を受けて前記ワイヤの他端を巻き取るパネル復旧装置とを備えていることを特徴とするブローアウト装置。
【請求項２】
前記閉止パネルの開放後、前記圧力計の測定値が所定値以下になったとき前記パネル復旧装置を動作させる自動制御装置を備えていることを特徴とする請求項１記載のブローアウト装置。
【請求項３】
前記蝶番の代りに、前記閉止パネルを前記建屋の内外方向に移動可能とするガイドレールを備えていることを特徴とする請求項１または２記載のブローアウト装置。
【発明の詳細な説明】
【技術分野】
【０００１】
本発明は、原子力施設等の建屋内圧が何らかの事故によって上昇した場合にこれを逃すブローアウト装置に関する。
【背景技術】
【０００２】
原子力施設の建屋内での一次系配管の破断等を想定した場合、破断時に放出される蒸気により建屋内圧が上昇する。このとき、原子炉格納容器に作用する外圧を低減するために、建屋外壁にブローアウト装置が設置されている。ブローアウト装置の開放が必要なのは、格納容器外で配管破断が発生し、建屋内圧が上昇した場合のみであるため、それ以外の強風、地震等の応力では開放しないように構成されている（例えば、特許文献１参照）。
【０００３】
従来のブローアウト装置は、図４に示すように、建屋壁面に開けられた開口部枠１に、同一形状の鉄製の閉止パネル２がはめ込まれ、閉止パネル２の周囲と開口部枠部１との間をクリップ等で固定することにより、通常時は閉止されている。高エネルギー配管の破断等により建屋内の圧力が上昇したときには、閉止パネル２に圧力が掛り、固定装置が破断することにより閉止パネル２が開動作し、建屋内の圧力を逃がすことができるようになっている。閉止パネル２の下辺に落下止めがあり、転倒開放するタイプでは、パネル落下防止のため、上辺を鉄製の鎖５等により繋がれている。図５に示す開口部枠１に設置されたガイドレール１０上を閉止パネル２がスライドするタイプでは、閉止パネル２が停止位置まで平行移動することにより、開口部に間隙が生じるようになっている。
【特許文献１】特開平０５−２３２２８３号公報
【発明の開示】
【発明が解決しようとする課題】
【０００４】
従来の二次格納施設の隔壁を構成するブローアウト装置においては、理由の如何によらず、開放動作した場合、原子炉の運転継続に支障をきたすため、速やかな原子炉停止（原子炉スクラムから冷温停止、燃料取扱の停止）が要求される。ブローアウト装置の開動作後の復旧については、特段の考慮はなされておらず、正常作動時はともかく、内圧上昇以外の理由により誤作動した場合でも、その復旧までには、閉止パネルの再設置・固定、開口部の閉止、漏えい試験の実施と、一連の作業に多大な手間と時間が必要となっている。
本発明は上述した課題を解決するためになされたものであり、開放動作した場合に速やかに閉止復旧することのできるブローアウト装置を提供することを目的とする。
【課題を解決するための手段】
【０００５】
上記課題を達成するために本発明のブローアウト装置は、建屋の開口部に蝶番と前記建屋の内部圧力が所定値以上になったときに破壊される固定装置によって取り付けられた閉止パネルと、この閉止パネルに一端が取り付けられたワイヤと、前記建屋の内部圧力を測定する圧力計と、この圧力計の測定値を受けて前記ワイヤの他端を巻き取るパネル復旧装置とを備えている構成とする。
【発明の効果】
【０００６】
本発明によれば、開放動作した場合に速やかに閉止復旧することのできるブローアウト装置を提供することができる。
【発明を実施するための最良の形態】
【０００７】
以下、本発明に係るブローアウト装置の３つの実施の形態について、図面を参照して説明する。  
（第１の実施の形態）
まず、図１を用いて本発明の第１の実施の形態を説明する。本実施の形態のブローアウト装置は、閉止パネル２の下辺を建屋開口部枠１に蝶番３で接続し、通常時に他の３辺は開口部枠１に対して作動圧力負荷により破断するように調整された固定装置４により固定されている。
【０００８】
建屋内圧上昇時には、固定装置４に設定値以上の応力がかかり、固定装置４が破損することにより、底辺を軸に閉止パネル２が転倒回転し開放される。このとき、閉止パネル１は落下防止のために、建屋開口部枠１の上部と閉止パネル２の上辺を鉄製の鎖５で連結されている。閉止パネル２にはこの鎖５の他に、引き起こし引っ張り用のワイヤ６を接続し、これを建屋内に設置されたパネル復旧装置７により巻き取ることができるようにするとともに、建屋内圧力を検知する圧力計８を設置した構成になっている。
【０００９】
建屋内圧力の上昇により閉止パネル２が開放された場合には、開放後、圧力計８により建屋内圧力が、あらかじめ設定された復旧可能圧力よりも低下していることを検知した後に、閉止パネル２の閉止復旧操作を実施する。また、地震時の振動応力により誤開放された場合には、圧力計８により建屋内圧力が、あらかじめ設定された復旧可能圧力以下に維持されていることを検知した後に、閉止パネル２の閉止復旧操作を実施する。
【００１０】
本実施の形態のブローアウト装置は、万一閉止パネル１が開放した時においても、圧力計８により建屋内圧力が、あらかじめ設定された復旧可能圧力以下にあることを検知した上で、パネル復旧装置７により速やかに閉止位置に復旧、再設置することが可能であり、建屋漏えい試験の後、運転再開が可能である。このように速やかに閉止復旧することにより、施設の有効利用（運転継続）、周辺への環境負荷（放射性物質の環境放出量）の低減等の効果が得られる。
【００１１】
（第２の実施の形態）
図２を用いて第２の実施の形態を説明する。なお第１の実施の形態と同じ構成には同じ符号を付し、重複する説明は省略する。  
本実施の形態のブローアウト装置は、建屋開口部枠１の上下部に敷設されたガイドレール１０と、それに沿って水平に移動することができる閉止パネル２が、通常時は建屋開口部枠１に対して、作動圧力負荷により破断するように調整された固定装置４により、固定されている。建屋内圧上昇時には、固定装置４に設定値以上の応力がかかり、固定装置４が破損することにより、閉止パネル２が建屋外側に押し出され開放される。閉止パネル２には、引き戻し用のワイヤ６が接続され、これを建屋内に設置されたパネル復旧装置７により巻き取ることができるようにするとともに、建屋内圧力を検知する圧力計８を設置した構成になっている。
【００１２】
本実施の形態のブローアウト装置は、万一閉止パネル２が開放した時は、圧力計８により建屋内圧力が、あらかじめ設定された復旧可能圧力以下にあることを検知した上で、パネル復旧装置７により速やかに現状位置に復旧、再設置することが可能であり、建屋漏えい試験の後、運転再開が可能である。このように速やかに閉止復旧することにより、施設の有効利用（運転継続）、周辺への環境負荷（放射性物質の環境放出量）の低減等の効果が得られる。
【００１３】
（第３の実施の形態）
次に、本発明のブローアウト装置の第３の実施の形態を図３を用いて説明する。なお第１、第２の実施の形態と同じ構成には同じ符号を付し、重複する説明は省略する。  
本実施の形態のブローアウト装置は、建屋内圧力を検知する圧力計８からの信号によりパネル復旧装置７に復旧動作を指示する自動制御装置９を設置し、閉止パネル２が開放された後、自動的に閉止パネル２の閉止復旧動作を行う構成である。
【００１４】
本実施の形態のブローアウト装置は、建屋内圧力の上昇により閉止パネル２が開放された場合には、開放後、圧力計８により建屋内圧力が、あらかじめ設定された復旧可能圧力よりも低下していることを検知した信号により、自動的に閉止パネル２の閉止復旧を実施することができるので、不必要に開放維持することなく、速やかな閉止復旧が実現できる。また、想定以上の地震動により誤開放された場合には、圧力計８により建屋内圧力が、あらかじめ設定された復旧可能圧力以下に維持されていることを検知した信号により、自動的に閉止パネル２の閉止復旧を実施することができるので、運転員は地震発生後のプラントの復旧操作・復旧活動等のより重要な対応作業に注力することが可能となり、安全性が向上する。
【図面の簡単な説明】
【００１５】
【図１】本発明の第１の実施の形態のブローアウト装置の構成を示し、（ａ）は閉時の状態を示す図、（ｂ）は開動作後の状態を示す図、（ｃ）は閉動作中の状態を示す図。
【図２】本発明の第２の実施の形態のブローアウト装置の構成を示し、（ａ）は閉時の状態を示す図、（ｂ）は開動作後の状態を示す図、（ｃ）は閉動作中の状態を示す図。
【図３】本発明の第３の実施の形態のブローアウト装置の構成を示し、（ａ）は閉時の状態を示す図、（ｂ）は開動作後の状態を示す図、（ｃ）は閉動作中の状態を示す図。
【図４】従来の第１の例のブローアウト装置の構成を示し、（ａ）は閉時の状態を示す図、（ｂ）は開動作後の状態を示す図。
【図５】従来の第２の例のブローアウト装置の構成を示し、（ａ）は閉時の状態を示す図、（ｂ）は開動作後の状態を示す図。
【符号の説明】
【００１６】
１…  建屋開口部枠、２…閉止パネル、３…蝶番、４…固定装置、５…鎖、６…ワイヤ、７…パネル復旧装置、８…圧力計、９…自動制御装置、１０…ガイドレール。
【図１】
2009121917.tif 000003
【図２】
2009121917.tif 000004
【図３】
2009121917.tif 000005
【図４】
2009121917.tif 000006
【図５】
2009121917.tif 000007